(57)【要約】      （修正有）【課題】湾曲した部材を介して牽引する力を伝動する伝動装置を提供する。【解決手段】表面に縦方向の歯形状の凸部を具えた細長い鋼の線体から形成され、中空の管体で中心にワイヤロープを貫通してワイヤロープを保護するガイド管と、歯車を介して出力する回転速度を低下させる減速手段と直列に接続する直流モータと、表面に歯形状の凸部を具え、直流モータと直列に接続する減速手段の出力端に直列に接続する桿体と、同じ軸を中心に回転する2つの回転体を具えてなり、主動輪が桿体に歯合して動力を伝動し、主動輪と同軸に設けられた従動輪を連動して、ワイヤロープに歯合し、ワイヤロープに線性の動力を伝動する回転手段と、中空のガイド管からなり、中心にワイヤロープを貫通して回転手段の従動輪と緊密に歯合した状熊を維持するとともに、内部で螺刻された凸部を緊密に接続し、必要に応じた回転と角度を変化させることができるガイド手段とを含む。【選択図】図１
0003127946.tif 000002
【実用新案登録請求の範囲】
【請求項１】
表面に縦方向の歯形状の凸部を具えた細長い鋼の線体から形成され、湾曲することができる特性を具えたワイヤロープと、
中空の管体で中心に該ワイヤロープを貫通してワイヤロープを保護し、ガイドするために供するガイド管と、
電動機を始動するための直流の電気を供給し、歯車を介して出力する回転速度を低下させる減速手段と直列に接続する直流モータと、
表面に歯形状の凸部を具え、直流モータと直列に接続する減速手段の出力端に直列に接続する桿体と、
同じ軸を中心に回転する2つの回転体を具えてなり、主動輪が桿体に歯合して動力を伝動し、主動輪と同軸に設けられた従動輪を連動して、ワイヤロープに歯合し、ワイヤロープに線性の動力を伝動する回転手段と、
中空のガイド管からなり、中心にワイヤロープを貫通して回転手段の従動輪と緊密に歯合した状態を維持するとともに、内部で螺刻された凸部を緊密に接続し、必要に応じた回転と角度を変化させることができるガイド手段とを含んでなり、
上述の構造により直流モータの線性曲線の動力を伝動する特性を利用して回転形態の動力を減速手段を通して桿体と回転手段に伝動し、ワイヤロープに湾曲の線性移動をさせるように連動することができる構造からなることを特徴とする伝動装置。
【請求項２】
前記伝動装置は上蓋を設けてなり、該上蓋の内部には回転手段の従動輪が設けられ、該上蓋の下方には中蓋と下蓋が設けられ、両者を組み合わせて形成された内部空間に桿体と回転手段の主動輪が設けられ、該上蓋は接続溝が形成され、ガイド手段の耳に接続されることを特徴とする請求項1に記載の伝動装置。
【請求項３】
前記ワイヤロープの線性に移動する方向の制御は、直流モータの回転する方向により桿体及び回転手段を通して制御することを特徴とする請求項1に記載の伝動装置。
【請求項４】
前記ワイヤロープは末端が動力の出力端になり、異なる使用状況に合わせて必要なスイッチ、もしくは移動する周辺設備に接続し、窓を外へ倒す押し出し窓、突き出し窓、片開き窓、縦滑り出し窓、横滑り出し窓、ブラインド、換気などに適したガラスルーバー窓、採光に適した小窓など火災報知器に連動した窓に応用することができる構造からなることを特徴とする請求項1に記載の伝動装置。
【請求項５】
前記窓の開閉は、窓枠に開閉手段を設けて、動力の出力端の牽引する力をワイヤロープを介して窓に動力を伝動する構造からなることを特徴とする請求項なに記載の伝動装置。
【請求項６】
前記ワイヤロープの末端を動力の出力端として、異なる使用状況に合わせて必要なスイッチ、もしくは移動する周辺設備に接続し、病人のベッドや家のベッドの角度を調整するなど機能的な動きに応用することができる構造からなることを特徴とする請求項1に記載の伝動装置。
【考案の詳細な説明】
【技術分野】
【０００１】
この考案は、伝動装置に関し、特に表面に螺刻を具えたワイヤを湾曲した線性の移動に伝動する伝動装置に関する。
【背景技術】
【０００２】
従来の伝動装置は力を湾曲して伝道する特性を具えておらず、特に力を押し圧して伝動する場合、力の方向を転換するため、別に方向転換装置を設けなければならない。よって、装置全体のサイズが大きくなる以外に伝動効率にも影響を与え、実際に応用する環境が制限される。
【考案の開示】
【考案が解決しようとする課題】
【０００３】
この考案は、湾曲した部材を介して牽引する力を伝動することができる伝動装置を提供することを課題とする。
【課題を解決するための手段】
【０００４】
そこで、本発明者は従来の技術に見られる欠点に鑑みて鋭意研究を重ねた結果、表面に縦方向の歯形状の凸部を具えた細長い鋼の線体から形成され、湾曲することができる特性を具えたワイヤロープと、中空の管体で中心に該ワイヤロープを貫通してワイヤロープを保護し、ガイドするために供するガイド管と、電動機を始動するための直流の電気を供給し、歯車を介して出力する回転速度を低下させる減速手段と直列に接続する直流モータと、表面に歯形状の凸部を具え、直流モータと直列に接続する減速手段の出力端に直列に接続する桿体と、同じ軸を中心に回転する2つの回転体を具えてなり、主動輪が桿体に歯合して動力を伝動し、主動輪と同軸に設けられた従動輪を連動して、ワイヤロープに歯合し、ワイヤロープに線性の動力を伝動する回転手段と、中空のガイド管からなり、中心にワイヤロープを貫通して回転手段の従動輪と緊密に歯合した状態を維持するとともに、内部で螺刻された凸部を緊密に接続し、必要に応じた回転と角度を変化させることができるガイド手段とを含んでなり、上述の構造により直流モータの線性曲線の動力を伝動する特性を利用して回転形態の動力を減速手段を通して桿体と回転手段に伝動し、ワイヤロープに湾曲の線牲移動をさせるように連動することができる構造によって課題を解決できる点に着眼し、かかる知見に基づいて本発明を完成させた。
【０００５】
以下、この発明について具体的に説明する。
請求項1に記載の伝動装置は、表面に縦方向の歯形状の凸部を具えた細長い鋼の線体から形成され、湾曲することができる特牲を具えたワイヤロープと、
中空の管体で中心に該ワイヤロープを貫通してワイヤロープを保護し、ガイドするために供するガイド管と、
電動機を始動するための直流の電気を供給し、歯車を介して出カする回転速度を低下させる減速手段と直列に接続する直流モータと、
表面に歯形状の凸部を具え、直流モータと直列に接続する減速手段の出力端に直列に接続する桿体と、
同じ軸を中心に回転する2つの回転体を具えてなり、主動輪が桿体に歯合して動力を伝動し、主動輪と同軸に設けられた従動輪を連動して、ワイヤロープに歯合し、ワイヤロープに線性の動力を伝動する回転手段と、
中空のガイド管からなり、中心にワイヤロープを貫通して回転手段の従動輪と緊密に歯合した状態を維持するとともに、内部で螺劇された凸部を緊密に接続し、必要に応じた回転と角度を変化させることができるガイド手段とを含んでなり、
上述の構造により直流モータの線性曲線の動力を伝動する特性を利用して回転形態の動力を減速手段を通して桿体と回転手段に伝動し、ワイヤロープに湾曲の線性移動をさせるよぅに連動することができる構造からなる。
【０００６】
請求項2に記載の伝動装置は、請求項1における伝動装置が上蓋を設けてなり、該上蓋の内部には回転手段の従動輪が設けられ、該上蓋の下方には中蓋と下蓋が設けられ、両者を組み合わせて形成された内部空間に桿体と回転手段の主動輪が設けられ、該上蓋は接続溝が形成され、ガイド手段の耳に接続される。
【０００７】
請求項3に記載の伝動装置は、請求項1におけるワイヤロープの線性に移動する方向の制御が、直流モータの回転する方向により桿体及び回転手段を通して制御する。
【０００８】
請求項4に記載の伝動装置は、請求項1におけるワイヤロープが末端が動力の出力端になり、異なる使用状況に合わせで必要なスイッチ、もしくは移動する周辺設備に接続し、窓を外へ倒す押し出し窓、突き出し窓、片開き窓、縦滑り出し窓、横滑り出し窓、ブラインド、換気などに適したガラスルーバー窓、採光に適した小窓など火災報知器に連動した窓に応用することができる構造からなる。
【０００９】
請求項5に記載の伝動装置は、請求項4における窓の開閉が、窓枠に開閉手段を設けて、動力の出力端の牽引する力をワイヤロープを介して窓に動力を伝動する構造からなる。
【００１０】
請求項6に記載の伝動装置は、請求項1におけるワイヤロープの末端を動力の出力端として、異なる使用状況に合わせて必要なスイッチ、もしくは移動する周辺設備に接続し、病人のベッドや家のベッドの角度を調整するなど機能的な動きに応用することができる構造からなる。
【考案の効果】
【００１１】
この考案による伝動装置は、様々な形態の窓やベッドなど多様な製品に応用することができるという効果を有する。
【考案を実施するための最良の形態】
【００１２】
この考案は、湾曲した部材を介して牽引する力を伝動することができる伝動装置であって、表面に縦方向の歯形状の凸部を具えた細長い鋼の線体から形成され、湾曲することができる特性を具えたワイヤロープと、中空の管体で中心に該ワイヤロープを貫通してワイヤロープを保護し、ガイドするために供するガイド管と、   電動機を始動するための直流の電気を供給し、歯車を介して出力する回転速度を低下させる減速手段と直列に接続する直流モータと、表面に歯形状の凸部を具え、直流モータと直列に接続する減速手段の出力端に直列に接続する桿体と、同じ軸を中心に回転する2つの回転体を具えてなり、主動輪が桿体に歯合して動力を伝動し、主動輪と同軸に設けられた従動輪を連動して、ワイヤロープに歯合し、ワイヤロープに線性の動力を伝動する回転手段と、
中空のガイド管からなり、中心にワイヤロープを貫通して回転手段の従動輪と緊密に歯合した状態を維持するとともに、内部で螺刻された凸部を緊密に接続し、必要に応じた回転と角度を変化させることができるガイド手段とを含んでなり、上述の構造により直流モータの線性曲線の動力を伝動する特性を利用して回転形熊の動力を減速手段を通して桿体と回転手段に伝動し、ワイヤロープに湾曲の線性移動をさせるように連動することができる構造と特徴を詳述するために具体的な実施例を挙げ、図示を参照にして以下に説明する。
【実施例】
【００１３】
図1は、この考案の分解図を示したものである。図面によれば、表面に縦方向の歯形状の凸部1０を具えた細長い鋼の線体から形成され、湾曲することができる特性を具えたワイヤロープ1と、中空の管体で中心に該ワイヤロープ1を貫通してワイヤロープ1を保護し、ガイドするために供するガイド管2と、電動機を始動するための直流の電気を供給し、歯車を介して出力する回転速度を低下させる減速手段3０と直列に接続する直流モータ3と、表面に歯形状の凸部4０を具え、直流モータ3と直列に接続する減速手段3０の出力端31に直列に接続する桿体4と、同じ軸を中心に回転する2つの回転体を具えてなり、主動輪5０が桿体4に歯合して動力を伝動し、主動輪5０と同軸に設けられた従動輪51を連動して、ワイヤロープ1に歯合し、ワイヤロー701に線性の動力を伝動する回転手段5と、
中空のガイド管6０からなり、中心にワイヤロープ1を貫通して回転手段5の従動輪51と緊密に歯合した状態を維持し、内部で螺刻された凸部を緊密に接続するとともに、一対の耳61を設けてなるガイド手段6とを含んで構成する。
【００１４】
図2は、この考案を組み合わせた状態の外観を示した説明図である。図面によれば、直流モータ3は線性曲線に動力を伝動する特性を具えているため、回転する形態の動力を桿体4と回転手段5に伝動し、ワイヤロープ1が湾曲した線性を移動するように連動する。
【００１５】
ワイヤロープ1の外側にはワイヤロープ1を保護し、方向をガイドするガイド管2が設けられ、ガイド手段6によりワイヤロープ1と回転手段5との間が緊密に確実に歯合して動かされる。また、桿体4と回転手段5の外側には上蓋7、中蓋8、下蓋9が設けられ、予め被覆される。
【００１６】
図3は、この考案の操作状態を示した説明図である。図面によれば、直流モータ3は線性曲線の動力を出力する。減速手段3０を介して減速し、捻る力を高めると、桿体4の作用力に接続し、桿体4が動力を回転手段5に伝動し、ワイヤロープ1を連動してガイド管2において湾曲した線性を移動するようにする。
【００１７】
図4は、この考案の構造を示した断面図である。図面によれば、上蓋7は内部に回転手段5の従動輪51を設けてなり、下方に中蓋8と下蓋9を設け、両者を組み合わせて形成される内部空間にヰ判本4と回転手段5の主動輪5０を設けてなる。また、上蓋には接続溝が形成され、ガイド手段6の耳を接続する。ワイヤロープ1は、ガイド手段6のガイド管6０を貫通し、回転手段5の従動輪51と歯合して動力を伝動する。また、図面によれば、動力が伝動される経路は桿体4から主動輪5０に伝動され、主動輪5０と同軸上に設けられた従動輪51からワイヤロープ1に伝動される。
【００１８】
図5は、この考案を排煙用の小窓に実施した場合を示した説明図である。図面では、窓を部屋の外側に倒し、火災報知器などに連動する実施例を開示する。該ワイヤロープ1の末端を動力の出力端として異なる使用状況に合わせて、必要なスイッチもしくは移動する周辺設備に接続して、窓を外へ倒す押し出し窓、突き出し窓、片開き窓、縦滑り出し窓、横滑り出し窓、ブラインド、換気などに適したガラスルーバー窓、採光に適した小窓など火災報知器に連動した窓か、もしくは病人のベッドや家のベッドの角度を調整するなど機能的な動きに応用することができる。
【００１９】
窓l０dの開閉は窓枠l０cに開閉手段l０aを設けて開閉手段l０aを通して動力を転換し、ワイヤロープ1を介して窓l０dに動力を伝動すると、窓lOdを外側に押し倒して開くか、もしくは内側に引いて窓l０dを窓枠l０c内に納めて閉じることができる。
【００２０】
開閉手段l０aのワイヤロープ１の線性の動きは、受信機l０eもしくは手動スイッチ1O9を始動することにより火災報知器の信号を集中コントロ―ルボックスl０fに伝送 
することができる。該集中コントロ―ルボックスl０fが信号により直流モータ3を始動すると、開閉手段l０aにより動カがワイヤロープ1に伝動される。
【００２１】
図6は、この考案を連動する排煙用の窓に応用した他の実施形態を示したものである。この実施形態では、複数の外側に倒して開く小窓で火災警報に連動した窓の実施例を開示する。図面によれば、個別の窓10dの窓枠l０c上に開閉手段l０aを設け、独自の動力源(直流モータ3)を利用して窓l０dの開閉を制御する。また、それぞれの開閉手段はいずれも管線 (内側に電源ミ線と信号線が設けられている)により集中コントロールボックス (内部にマイクロコンピュータコントロールチップを有する)に接続し、状況を判断して処理することができる。
【００２２】
上述のように、この考案はワイヤロープの伝動を応用し、直流モータにより桿体と回転手段を動かし、ワイヤロープを連動して湾曲した線性の移動を行うことができ、従来の伝動装置における欠点を改善した。
【００２３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２４】
【図１】この考案の伝動装置を示した分解図である。
【図２】この考案の伝動装置を組み合わせた状熊を示した説明図である。
【図３】この考案の伝動装置の操作状態を示した説明図である。
【図４】この考案の伝動装置の構造の―部を示した断面図である。
【図５】この考案の伝動装置を俳煙用の小窓に応用した状態を示した実施例である。
【図６】この考案の伝動装置を他の形態の排煙用の小窓に応用した状態を示した実施例である。
【符号の説明】
【００２５】
１        ワイヤロープ
１０      凸部
１０ａ    開閉手段
１０ｃ    窓枠
１０ｄ    窓
１０ｅ    受信機
１０ｆ    集中コントロールボックス
１０ｇ    手動スイッチ
２        ガイド管
３        直流モータ
３０      減速手段
３１      出力端
４        桿体
４０      凸部
５        回転手段
５０      主動輪
５１      従動輪
６        ガイド手段
６０      ガイド管
６１      耳
７        上蓋
８        中蓋
９        下蓋
【図１】
0003127946.tif 000003
【図２】
0003127946.tif 000004
【図３】
0003127946.tif 000005
【図４】
0003127946.tif 000006
【図５】
0003127946.tif 000007
【図６】
0003127946.tif 000008
【手続補正書】
【提出日】平成18年10月12日(2006.10.12)
【手続補正１】
【補正対象書類名】実用新案登録請求の範囲
【補正対象項目名】請求項５
【補正方法】変更
【補正の内容】
【請求項５】
前記窓の開閉は、窓枠に開閉手段を設けて、動力の出力端の牽引する力をワイヤロープを介して窓に動力を伝動する構造からなることを特徴とする請求項１に記載の伝動装置。